(57)【要約】【課題】専用のプレス装置を用いることなく、簡単かつ確実に歯付ベルトの端部を固定できるようにする。【解決手段】歯付ベルト５０の歯部５１と噛み合うダミー歯部２ａ及びこの歯付ベルト５０の幅方向に延びる第１貫通孔２ｂを有する第１部材２と、歯付ベルト５０の端部に噛み合った第１部材２が歯付ベルト５０の端部と共に載置される底板３ａ及びこの底板３ａの両側に立設され、第１貫通孔２ｂに挿通されるリベット４が挿通される第２貫通孔３ｃが形成された一対の側板３ｂを有する第２部材３とを設ける。第１貫通孔２ｂ又は第２貫通孔３ｃを、歯付ベルト５０が載置された状態で、この歯付ベルト５０を引き抜く方向に向かって底板３ａ側へ傾斜する長孔で構成する。【選択図】図６
2019113084.tif 000002
【特許請求の範囲】
【請求項１】
少なくとも一方側の面に歯部を有する有端の歯付ベルトの端末取付具であって、
上記歯付ベルトの上記歯部と噛み合うダミー歯部及び該歯付ベルトの幅方向に延びる第１貫通孔を有する第１部材と、
上記歯付ベルトの端部に噛み合った上記第１部材が該歯付ベルトの端部と共に載置される底板及び該底板の両側に立設され、上記第１貫通孔に挿通される抜け止め部材が挿通される第２貫通孔が形成された一対の側板を有する第２部材とを備え、
上記第１貫通孔又は上記第２貫通孔は、上記歯付ベルトが載置された状態で、該歯付ベルトを引き抜く方向に向かって上記底板側へ傾斜する長孔よりなる
ことを特徴とする歯付ベルトの端末取付具。
【請求項２】
請求項１に記載の歯付ベルトの端末取付具において、
上記長孔は、複数形成されており、隣接する長孔の傾斜角度は等しい
ことを特徴とする歯付ベルトの端末取付具。
【請求項３】
請求項１に記載の歯付ベルトの端末取付具において、
上記長孔は、複数形成されており、隣接する長孔における引き抜き側の傾斜角度は、差し込み側の傾斜角度よりも小さい
ことを特徴とする歯付ベルトの端末取付具。
【請求項４】
請求項１から３のいずれか１つに記載の歯付ベルトの端末取付具において、
一対の上記第１部材と、一対の上記第２部材とを有し、
上記一対の第２部材における上記歯付ベルトの引抜方向反対側端部を向かい合わせるように底板が連結部で連結されている
ことを特徴とする歯付ベルトの端末取付具。
【請求項５】
請求項１から４のいずれか１つに記載の歯付ベルトの端末取付具において、
上記第２部材は、上記底板と上記一対の側板とが１枚の鋼板から形成されている
ことを特徴とする歯付ベルトの端末取付具。
【請求項６】
請求項１から５のいずれか１つに記載の歯付ベルトの端末取付具において、
上記抜け止め部材は、リベットと、該リベットが嵌め込まれるプッシュナットとからなる
ことを特徴とする歯付ベルトの端末取付具。
【請求項７】
少なくとも一方側の面に歯部を有する有端の歯付ベルトの端部を第２部材に取り付ける歯付ベルトの端末取付方法において、
上記歯付ベルトの上記歯部と噛み合うダミー歯部及び該歯付ベルトの幅方向に延びる第１貫通孔を有する第１部材と、上記歯付ベルトの端部に噛み合った上記第１部材が該歯付ベルトの端部と共に載置される底板及び該底板の両側に立設され、上記第１貫通孔に挿通される抜け止め部材が挿通される第２貫通孔が形成された一対の側板を有する第２部材とを準備する準備工程と、
上記歯付ベルトの端部を上記第２部材の上記底板に載置するベルト載置工程と、
上記第１部材を上記第２部材の一対の側板間に挿入し、第１貫通孔と第２貫通孔とを位置合わせした状態で上記抜け止め部材を第１貫通孔及び第２貫通孔に挿通する抜け止め部材挿通工程と、
上記歯付ベルトの端部の歯部に上記第１部材のダミー歯部を噛み合わせる噛み合わせ工程と、
上記第１部材が噛み合わされた歯付ベルトを引き寄せて上記抜け止め部材を長孔よりなる上記第１貫通孔又は第２貫通孔の内部を移動させながら上記第１部材を上記底板側へ押さえ付けて嵌め込む嵌め込み工程とを含む
ことを特徴とする歯付ベルトの端末取付方法。
【請求項８】
請求項７に記載の歯付ベルトの端末取付方法において、
上記抜け止め部材挿通工程で第１部材を第２部材に仮止めした後、該第１部材を傾けた状態で上記ベルト載置工程において、上記底板と上記第１部材との間に上記歯付ベルトを挿通する
ことを特徴とする歯付ベルトの端末取付方法。
【請求項９】
少なくとも一方側の面に歯部を有する有端の一対の歯付ベルトの端部を第２部材にそれぞれ取り付けて連結する歯付ベルトの端末取付方法であって、
上記歯付ベルトの上記歯部と噛み合うダミー歯部及び該歯付ベルトの幅方向に延びる第１貫通孔を有する一対の第１部材と、上記歯付ベルトの端部に噛み合った一対の第１部材が該歯付ベルトの端部と共に載置される底板及び該底板の両側に立設され、上記第１貫通孔に挿通される抜け止め部材が挿通される第２貫通孔がそれぞれ形成された少なくとも一対の側板を有する第２部材とを準備する準備工程と、
一方の上記歯付ベルトの端部を上記第２部材の上記底板に載置する第１ベルト載置工程と、
一方の上記第１部材を上記第２部材の一対の側板間に挿入し、第１貫通孔と第２貫通孔とを位置合わせした状態で上記抜け止め部材を第１貫通孔及び第２貫通孔に挿通する第１抜け止め部材挿通工程と、
一方の上記歯付ベルトの端部の歯部に一方の上記第１部材のダミー歯部を噛み合わせる第１噛み合わせ工程と、
一方の上記第１部材が噛み合わされた一方の歯付ベルトを引き寄せて上記抜け止め部材を長孔よりなる上記第１貫通孔又は第２貫通孔の内部を移動させながら上記第１部材を上記底板側へ押さえ付けて嵌め込む第１嵌め込み工程と、
他方の上記歯付ベルトの端部を上記第２部材の上記底板に載置する第２ベルト載置工程と、
他方の上記第１部材を上記第２部材の一対の側板間に挿入し、第１貫通孔と第２貫通孔とを位置合わせした状態で上記抜け止め部材を第１貫通孔及び第２貫通孔に挿通する第２抜け止め部材挿通工程と、
他方の上記歯付ベルトの端部の歯部に他方の上記第１部材のダミー歯部を噛み合わせる第２噛み合わせ工程と、
他方の上記第１部材が噛み合わされた他方の歯付ベルトを引き寄せて上記抜け止め部材を長孔よりなる上記第１貫通孔又は第２貫通孔の内部を移動させながら上記第１部材を上記底板側へ押さえ付けて嵌め込む第２嵌め込み工程とを含む
ことを特徴とする歯付ベルトの端末取付方法。
【発明の詳細な説明】
【技術分野】
【０００１】
本発明は、少なくとも一方側の面に歯部を有する有端の歯付ベルトの端末を取り付ける端末取付具及び歯付ベルトの端末取付方法に関する。
【背景技術】
【０００２】
従来より、無端ではない有端の歯付ベルトは、往復駆動などで使用される場合、一定の張力で両端をそれぞれ被固定部材に固定する必要がある（例えば特許文献１）。このため、歯付ベルトの両端は、それぞれ取付装置によって被固定部材に固定される。特許文献１の端末取付装置は、歯付ベルトの複数個の歯部と嵌合する略同形状の内面形状を有する上型と下型を取り付け、これら上型及び下型によりベルト端部を挟持すると共に、上型と下型の両端部にそれぞれ一体に凸部を形成し、これら上下の凸部外周に亘って両側互いに対向して一対の額縁状係止具を嵌め込み、かしめることによって歯付ベルトを取り付けている。
【０００３】
また、特許文献２のように、有端ベルトの端部に、このベルトと略同幅でベルトの複数個の歯部と嵌合する略同形状の凹凸内面形状を有する上板と、ベルトより幅広の板部の両側部に複数個のひだを設けた下板を取り付けて上下の板によりベルト端部を挟持すると共に、下板のひだ先端部を内側に折り曲げることによってベルトを取り付けるものも知られている。
【０００４】
一方で、特許文献３のように、用具本体に回動可能に設けた回動レバーの抜け止め溝にタイミングベルトの歯部を噛み合わせた状態で回動レバーを用具本体に係合させて抜け止めするタイミングベルト連結用具が知られている。
【先行技術文献】
【特許文献】
【０００５】
【特許文献１】実開平５−４３３０８号公報（特に図５）
【特許文献２】実開平１−８３９４８号公報
【特許文献３】特開２００１−１７３７２７号公報（特に図１）
【発明の概要】
【発明が解決しようとする課題】
【０００６】
しかしながら、特許文献１及び２のような、かしめを利用した従来の歯付ベルトの端末取付具では、かしめを行うための専用のプレス装置なしで作業できないという問題がある。
【０００７】
また、特許文献３のものでは、用具本体の形状が複雑な上、回動レバーの係留部を用具本体の回動レバー用係止部に係止させただけであり、また、容易に係止解除できるようにしているため、強い力でベルトを引き抜こうとすると、抜け出すおそれがある。
【０００８】
本発明は、かかる点に鑑みてなされたものであり、その目的とするところは、専用のプレス装置を用いることなく、簡単かつ確実に歯付ベルトの端部を固定できるようにすることにある。
【課題を解決するための手段】
【０００９】
上記の目的を達成するために、この発明では、歯付ベルトの端部をその歯部と噛み合う第１部材と共に、第２部材に抜け止め部材により取り付けるようにした。
【００１０】
具体的には、第１の発明では、少なくとも一方側の面に歯部を有する有端の歯付ベルトの端末取付具を対象とし、
上記歯付ベルトの端末取付具は、
上記歯付ベルトの上記歯部と噛み合うダミー歯部及び該歯付ベルトの幅方向に延びる第１貫通孔を有する第１部材と、
上記歯付ベルトの端部に噛み合った上記第１部材が該歯付ベルトの端部と共に載置される底板及び該底板の両側に立設され、上記第１貫通孔に挿通される抜け止め部材が挿通される第２貫通孔が形成された一対の側板を有する第２部材とを備え、
上記第１貫通孔又は上記第２貫通孔は、上記歯付ベルトが載置された状態で、該歯付ベルトを引き抜く方向に向かって上記底板側へ傾斜する長孔よりなる。
【００１１】
上記の構成によると、第１部材のダミー歯部を歯付ベルトの端部の歯部に噛み合わせた状態で第２部材の底板と一対の側板とで囲み、第１貫通孔及び第２貫通孔に抜け止め部材を挿通した後、歯付ベルトを引っ張って抜け止め部材を傾斜する長孔の内部において移動させることにより、第１部材によって歯付ベルトの端部を押さえ付ける力が発生する。このため、歯付ベルトを引き抜く方向に力が加わっても歯付ベルトが抜け出すことはない。このように、特別な工具を用いなくても歯付ベルトを引き込むだけで歯付ベルトの端部が第２部材に確実に嵌まり込む。また、引っ張り力を長孔の傾斜により面圧に変換する構造であるため、誰が作業しても同じ仕上がりで歯付ベルトの端部を第２部材に固定でき、圧入力管理も不要である。また、歯付ベルトに発生する引っ張り力で内部面圧は自動的に上昇するので、歯付ベルトも痛みにくい。
【００１２】
第２の発明では、第１の発明において、
上記長孔は、複数形成されており、隣接する長孔の傾斜角度は等しい構成とする。
【００１３】
上記の構成によると、歯付ベルトを引き抜く方向に引っ張ると、２本の抜け止め部材のいずれにおいても歯付ベルトを同様に底板側へ押し付ける力が発生する。
【００１４】
第３の発明では、第１の発明において、
上記長孔は、複数形成されており、隣接する長孔における引き抜き側の傾斜角度は、差し込み側の傾斜角度よりも小さい構成とする。
【００１５】
上記の構成によると、傾斜角度の小さい方の第１及び第２貫通孔に抜け止め部材を差し込んだ状態で、第１部材を傾けた状態で第１部材と第２部材の底板との間に歯付ベルトの端部を挿入し、他方の第１及び第２貫通孔を位置合わせするように第１部材を回動させて抜け止め部材を差し込むようにすることもできる。また、傾斜のきつい方の長孔の方でより大きな力で歯付ベルトを押さえ付けるようにすることができる。
【００１６】
第４の発明では、第１から第３のいずれか１つの発明において、
一対の上記第１部材と、一対の上記第２部材とを有し、
上記一対の第２部材における上記歯付ベルトの引抜方向反対側端部を向かい合わせるように底板が連結部で連結されている。
【００１７】
上記の構成によると、歯付ベルトのそれぞれの端部を底板が連結された別々の第１部材及び第２部材に嵌め込んで固定することで、両端が接続されたループ状の歯付ベルトが得られる。
【００１８】
第５の発明では、第１から第４のいずれか１つの発明において、
上記第２部材は、上記底板と上記一対の側板とが１枚の鋼板から形成されている。
【００１９】
上記の構成によると、一枚の鋼板を折り曲げ形成することで第２部材が容易に得られる。
【００２０】
第６の発明では、第１から第５のいずれか１つに発明において、
上記抜け止め部材は、リベットと、該リベットが嵌め込まれるプッシュナットとからなる。
【００２１】
上記の構成によると、簡単かつ確実に第１部材を第２部材に固定できる。
【００２２】
第７の発明では、少なくとも一方側の面に歯部を有する有端の歯付ベルトの端部を第２部材に取り付ける歯付ベルトの端末取付方法を対象とし、
上記端末取付方法は、
上記歯付ベルトの上記歯部と噛み合うダミー歯部及び該歯付ベルトの幅方向に延びる第１貫通孔を有する第１部材と、上記歯付ベルトの端部に噛み合った上記第１部材が該歯付ベルトの端部と共に載置される底板及び該底板の両側に立設され、上記第１貫通孔に挿通される抜け止め部材が挿通される第２貫通孔が形成された一対の側板を有する第２部材とを準備する準備工程と、
上記歯付ベルトの端部を上記第２部材の上記底板に載置するベルト載置工程と、
上記第１部材を上記第２部材の一対の側板間に挿入し、第１貫通孔と第２貫通孔とを位置合わせした状態で上記抜け止め部材を第１貫通孔及び第２貫通孔に挿通する抜け止め部材挿通工程と、
上記歯付ベルトの端部の歯部に上記第１部材のダミー歯部を噛み合わせる噛み合わせ工程と、
上記第１部材が噛み合わされた歯付ベルトを引き寄せて上記抜け止め部材を長孔よりなる上記第１貫通孔又は第２貫通孔の内部を移動させながら上記第１部材を上記底板側へ押さえ付けて嵌め込む嵌め込み工程とを含む構成とする。
【００２３】
上記の構成によると、第１部材のダミー歯部を歯付ベルトの端部の歯部に噛み合わせた状態で第２部材の底板と一対の側板とで囲み、第１貫通孔及び第２貫通孔に抜け止め部材を挿通した後、歯付ベルトを引っ張って抜け止め部材を傾斜する長孔の内部において移動させることにより、第１部材によって歯付ベルトの端部を底板側へ押さえ付ける力が発生する。このため、歯付ベルトを引き抜く方向に力が加わっても歯付ベルトが抜け出すことはない。このように、特別な工具を用いなくても歯付ベルトを引き込むだけで歯付ベルトの端部が第２部材に確実に嵌まり込む。引っ張り力を長孔の傾斜により面圧に変換する構造であるため、誰が作業しても同じ仕上がりで歯付ベルトの端部を第２部材に固定でき、圧入力管理も不要である。また、歯付ベルトに発生する引っ張り力で内部面圧は自動的に上昇するので、歯付ベルトも痛みにくい。
【００２４】
第８の発明では、第７の発明において、
上記抜け止め部材挿通工程で第１部材を第２部材に仮止めした後、該第１部材を傾けた状態で上記ベルト載置工程において、上記底板と上記第１部材との間に上記歯付ベルトを挿通する構成とする。
【００２５】
上記の構成によると、歯付ベルトの端部の挿入作業と抜け止め部材の位置合わせが容易となる。
【００２６】
第９の発明では、少なくとも一方側の面に歯部を有する有端の一対の歯付ベルトの端部を第２部材にそれぞれ取り付けて連結する歯付ベルトの端末取付方法を対象とし、
上記端末取付方法は、
上記歯付ベルトの上記歯部と噛み合うダミー歯部及び該歯付ベルトの幅方向に延びる第１貫通孔を有する一対の第１部材と、上記歯付ベルトの端部に噛み合った一対の第１部材が該歯付ベルトの端部と共に載置される底板及び該底板の両側に立設され、上記第１貫通孔に挿通される抜け止め部材が挿通される第２貫通孔がそれぞれ形成された少なくとも一対の側板を有する第２部材とを準備する準備工程と、
一方の上記歯付ベルトの端部を上記第２部材の上記底板に載置する第１ベルト載置工程と、
一方の上記第１部材を上記第２部材の一対の側板間に挿入し、第１貫通孔と第２貫通孔とを位置合わせした状態で上記抜け止め部材を第１貫通孔及び第２貫通孔に挿通する第１抜け止め部材挿通工程と、
一方の上記歯付ベルトの端部の歯部に一方の上記第１部材のダミー歯部を噛み合わせる第１噛み合わせ工程と、
一方の上記第１部材が噛み合わされた一方の歯付ベルトを引き寄せて上記抜け止め部材を長孔よりなる上記第１貫通孔又は第２貫通孔の内部を移動させながら上記第１部材を上記底板側へ押さえ付けて嵌め込む第１嵌め込み工程と、
他方の上記歯付ベルトの端部を上記第２部材の上記底板に載置する第２ベルト載置工程と、
他方の上記第１部材を上記第２部材の一対の側板間に挿入し、第１貫通孔と第２貫通孔とを位置合わせした状態で上記抜け止め部材を第１貫通孔及び第２貫通孔に挿通する第２抜け止め部材挿通工程と、
他方の上記歯付ベルトの端部の歯部に他方の上記第１部材のダミー歯部を噛み合わせる第２噛み合わせ工程と、
他方の上記第１部材が噛み合わされた他方の歯付ベルトを引き寄せて上記抜け止め部材を長孔よりなる上記第１貫通孔又は第２貫通孔の内部を移動させながら上記第１部材を上記底板側へ押さえ付けて嵌め込む第２嵌め込み工程とを含む構成とする。
【００２７】
上記の構成によると、歯付ベルトのそれぞれの端部において、第１部材のダミー歯部を歯付ベルトの端部の歯部に噛み合わせた状態で第２部材の底板と一対の側板とで囲み、第１貫通孔及び第２貫通孔に抜け止め部材を挿通した後、歯付ベルトを引っ張って抜け止め部材を傾斜する長孔の内部において移動させることにより、第１部材によって歯付ベルトの端部を底板側へ押さえ付ける力が発生する。このため、環状に連続するように連結された歯付ベルトを第２部材から引き抜く方向に力が加わっても歯付ベルトの各端部が抜け出すことはない。このように、特別な工具を用いなくても一対の歯付ベルトの端部をそれぞれ引き込むだけで歯付ベルトの各端部が第２部材に確実に嵌まり込む。引っ張り力を長孔の傾斜により面圧に変換する構造であるため、誰が作業しても同じ仕上がりで歯付ベルトの端部を第２部材に固定でき、圧入力管理も不要である。また、歯付ベルトに発生する引っ張り力で内部面圧は自動的に上昇するので、歯付ベルトも痛みにくい。
【発明の効果】
【００２８】
以上説明したように、本発明によれば、第１部材のダミー歯部を歯付ベルトの歯部に噛み合わせた状態で第２部材に抜け止め部材で取り付け、この抜け止め部材を、歯付ベルトを引っ張って長孔の内部を移動させて第１部材を底板側に押さえ付けるようにしたことにより、専用のプレス装置を用いることなく、簡単かつ確実に歯付ベルトの端部を固定できる。また、ダミー歯部を有する第１部材と噛み合った部分により、ベルト本体の張力を分散して端末取付具に伝えることになるので、歯付ベルトの端末部の破損や切断により、歯付ベルトが早期に使用不能になることはない。
【図面の簡単な説明】
【００２９】
【図１】本発明の実施形態１に係る歯付ベルトの端末取付具に歯付ベルトの端部を取り付けた状態を示す斜視図である。
【図２】本発明の実施形態１に係る歯付ベルトの端末取付具に歯付ベルトの端部を取り付けた状態を示す平面図である。
【図３】本発明の実施形態１に係る歯付ベルトの端末取付具に歯付ベルトの端部を取り付けた状態を示す正面図である。
【図４】図２のIV−IV線断面図である。
【図５】図３のＶ−Ｖ線断面図である。
【図６】本発明の実施形態１に係る歯付ベルトの端末取付具に歯付ベルトの端部を取り付ける状態を示す分解斜視図である。
【図７Ａ】本発明の実施形態１に係る歯付ベルトの端末取付方法における準備工程及び載置工程を示す正面図である。
【図７Ｂ】本発明の実施形態１に係る歯付ベルトの端末取付方法における抜け止め部材挿通工程及び噛み合わせ工程を示す正面図である。
【図７Ｃ】本発明の実施形態１に係る歯付ベルトの端末取付方法における嵌め込み工程を示す正面図である。
【図８】本発明の実施形態１の変形例１に係る図３相等図である。
【図９】本発明の実施形態１の変形例２に係る図３相等図である。
【図１０Ａ】本発明の実施形態１の変形例３に係る歯付ベルトの端末取付方法における準備工程及び載置工程を示す正面図である。
【図１０Ｂ】本発明の実施形態１の変形例３に係る歯付ベルトの端末取付方法における抜け止め部材挿通工程及び噛み合わせ工程を示す正面図である。
【図１０Ｃ】本発明の実施形態１の変形例３に係る歯付ベルトの端末取付方法における嵌め込み工程を示す正面図である。
【図１１】本発明の実施形態２に係る図６相等図である。
【図１２Ａ】本発明の実施形態２に係る歯付ベルトの端末取付方法における準備工程及び載置工程を示す正面図である。
【図１２Ｂ】本発明の実施形態２に係る歯付ベルトの端末取付方法における抜け止め部材挿通工程及び噛み合わせ工程を示す正面図である。
【図１２Ｃ】本発明の実施形態２に係る歯付ベルトの端末取付方法における嵌め込み工程を示す正面図である。
【図１３】本発明の実施形態３に係る図６相等図である。
【図１４Ａ】本発明の実施形態３に係る歯付ベルトの端末取付方法における準備工程及び載置工程を示す正面図である。
【図１４Ｂ】本発明の実施形態３に係る歯付ベルトの端末取付方法における抜け止め部材挿通工程及び噛み合わせ工程を示す正面図である。
【図１４Ｃ】本発明の実施形態３に係る歯付ベルトの端末取付方法における嵌め込み工程を示す正面図である。
【発明を実施するための形態】
【００３０】
以下、本発明の実施形態を図面に基づいて説明する。
【００３１】
（実施形態１）
−歯付ベルトの端末取付具の構造−
図１〜図６は本発明の実施形態１の歯付ベルトの端末取付具１を示し、本実施形態では、この端末取付具１は、一方側の面（ここでは説明の便宜上、上面とする）に複数の歯部５１が同一のピッチＰで配置された有端の歯付ベルト５０を取り付けるためのものである。
【００３２】
端末取付具１は、歯付ベルト５０の歯部５１と噛み合うダミー歯部２ａを有する第１部材２を備えている。図７Ａに示すように、ダミー歯部２ａは、例えば７つ同一のピッチＰで配置されているが、その数は特に限定されない。第１部材２は、歯付ベルト５０の幅方向に延びる、例えば２つの第１貫通孔２ｂを有する。第１貫通孔２ｂは、歯付ベルト５０が載置された状態で、この歯付ベルト５０を引き抜く引抜方向Ａに向かって下方へ（底板３ａ側へ）傾斜する長孔よりなる。この長孔よりなる一対の第１貫通孔２ｂは、それぞれ等しい傾斜角度θで傾いている。第１部材２は、例えば機械的強度に優れ、耐摩耗性、摺動性が良好なＰＯＭ（ポリアセタール）樹脂などの樹脂成形品で形成されている。樹脂成形品であれば、金型さえ用意すれば、複雑な形状でも容易に成形できる。なお第１部材２は、金属、ゴム等他の材料で形成されていてもよい。
【００３３】
端末取付具１は、さらに鋼板等よりなる第２部材３を備えている。第２部材３は、歯付ベルト５０の端部に噛み合った第１部材２がこの歯付ベルト５０の端部と共に載置される、例えば矩形板状の底板３ａを備えている。この底板３ａの両側には、第１貫通孔２ｂに挿通される引き抜き部材としてのリベット４が挿通される第２貫通孔３ｃが形成された一対の側板３ｂが立設されている。側板３ｂは、扱いやすさなどを考慮すれば角部が丸まっているのが望ましい。底板３ａにおける歯付ベルト５０の引抜方向Ａの反対側には、固定片３ｄが連結されている。例えば、この固定片３ｄは、そのボルト挿通孔３ｅに挿通したボルトを被固定部に締結することで固定可能となっている。図３等に示すように、固定片３ｄは、少し折り曲げられて底板３ａよりも高くなっていてもよい。第２部材３は、例えば１枚の鋼板から形成されている。この場合、一枚の鋼板をプレス機などにより折り曲げ形成することで第２部材３が容易に得られる。
【００３４】
抜け止め部材は、例えば、リベット４と、このリベット４が嵌め込まれるプッシュナット５とからなるが、ボルトとナット、ピンと割りピンなど他の構成であってもよい。
【００３５】
−歯付ベルトの端末取付方法−
次に、本実施形態に係る歯付ベルト５０の端末取付方法について説明する。
【００３６】
まず準備工程において、上記歯付ベルト５０と上記第１部材２と上記第２部材３とを準備する。
【００３７】
次いでベルト載置工程において、図７Ａ及び図７Ｂに示すように、歯付ベルト５０の端部を第２部材３の底板３ａに載置する。
【００３８】
次いで抜け止め部材挿通工程において、第１部材２を第２部材３の一対の側板３ｂ間に挿入し、第１貫通孔２ｂと第２貫通孔３ｃとを位置合わせした状態でリベット４を第１貫通孔２ｂ及び第２貫通孔３ｃに挿通する。本実施形態では、抜け止め部材は、リベット４と、このリベット４が嵌め込まれるプッシュナット５とからなるので、簡単かつ確実に第１部材２を第２部材３に固定できる。
【００３９】
次いで噛み合わせ工程において、歯付ベルト５０の端部の歯部５１に第１部材２のダミー歯部２ａを噛み合わせる。この噛み合わせ工程は、上記抜け止め部材挿通工程と同時に行ってもよい。
【００４０】
そして最後に嵌め込み工程において、第１部材２が噛み合わされた歯付ベルト５０を引き寄せてリベット４を長孔よりなる第１貫通孔２ｂの内部を移動させながら上記第１部材を底板３ａ側へ押さえ付けて嵌め込む。すなわち、歯付ベルト５０を引抜方向Ａに引っ張ると、図７Ｂ及び図７Ｃに示すように、同じ角度で傾斜する第１貫通孔２ｂの内部を上方へ移動する。このとき、上方への移動に伴って、第１部材２は下方に押さえ付けられるので、２本のリベット４のいずれにおいても歯付ベルト５０を同様に下方へ（底板３ａ側へ）押し付ける力Ｆが発生する。このため、歯付ベルト５０を引っ張れば引っ張るほど、第１部材２が下方に（底板３ａ側に）押さえ付けられるので、歯付ベルト５０が抜け出すことはない。
【００４１】
このように、特別な工具を用いなくても歯付ベルト５０を引き込むだけで歯付ベルト５０の端部が第２部材３に確実に嵌まり込む。このため、歯付ベルト５０を引き抜く引抜方向Ａに力が加わっても歯付ベルト５０が抜け出すことはない。また、引っ張り力を長孔の傾斜により面圧に変換する構造であるため、誰が作業しても同じ仕上がりで歯付ベルト５０の端部を第２部材３に固定でき、圧入力管理も不要である。さらに、歯付ベルト５０に発生する引っ張り力で内部面圧は自動的に上昇するので、歯付ベルト５０も痛みにくい。
【００４２】
したがって、本実施形態に係る歯付ベルト５０の端末取付具１によると、専用のプレス装置を用いることなく、簡単かつ確実に歯付ベルト５０の端部を固定できる。また、ダミー歯部２ａを有する第１部材２と噛み合った部分により、ベルト本体の張力を分散して端末取付具１に伝えることになるので、歯付ベルト５０の端末部の破損や切断により、歯付ベルト５０が早期に使用不能になることはない。
【００４３】
−変形例１−
図８は本発明の実施形態１の変形例に係る端末取付具１’を示し、主に、第２部材３’の形状が上記実施形態１の第２部材３の形状と異なる。なお、以下の各変形例及び各実施形態では、図１〜図７Ｃと同じ部分については同じ符号を付してその詳細な説明は省略する。
【００４４】
本変形例では、一対の第１部材２と一対の第２部材３’とを有し、これら一対の第２部材３’における歯付ベルト５０の引抜方向Ａ，Ａ’の反対側端部を向かい合わせるように底板３ａが連結部３ｄ’で連結されている。
【００４５】
このように、歯付ベルト５０のそれぞれの端部を底板３ａが連結された別々の第１部材２及び第２部材３に嵌め込んで固定することで、両端が接続されたループ状の歯付ベルト５０が得られる。
【００４６】
本実施形態では、まず、準備工程において、連結された一対の第２部材３’と一対の第１部材２と歯付ベルト５０とを準備する。
【００４７】
次いで、第１抜け止め部材挿通工程において、一方の第１部材２を第２部材３’の一対の側板３ｂ’間に挿入し、第１貫通孔２ｂと第２貫通孔３ｃとを位置合わせした状態でリベット４を第１貫通孔２ｂ及び第２貫通孔３ｃに挿通する。
【００４８】
次いで、第１噛み合わせ工程において、一方の歯付ベルト５０の端部の歯部５１に一方の第１部材２のダミー歯部２ａを噛み合わせる。
【００４９】
次いで、第１嵌め込み工程において、一方の第１部材が噛み合わされた一方の歯付ベルト５０を引抜方向Ａに引き寄せてリベット４を長孔よりなる第１貫通孔２ｂの内部を上方へ移動させながら第１部材２を底板３ａ側に押さえ付けて嵌め込む。
【００５０】
次いで、第２ベルト載置工程において、他方の歯付ベルト５０の端部を第２部材３の底板３ａに載置する。
【００５１】
次いで、第２抜け止め部材挿通工程において、他方の第１部材２を第２部材３の一対の側板３ｂ間に挿入し、第１貫通孔２ｂと第２貫通孔３ｃとを位置合わせした状態でリベット４を第１貫通孔２ｂ及び第２貫通孔３ｃに挿通する。
【００５２】
さらに、第２噛み合わせ工程において、他方の歯付ベルト５０の端部の歯部５１に他方の第１部材２のダミー歯部２ａを噛み合わせる。
【００５３】
次いで、第２嵌め込み工程において、他方の第１部材２が噛み合わされた他方の歯付ベルト５０を引抜方向Ａ’に引き寄せてリベット４を長孔よりなる第１貫通孔２ｂの内部を上方へ移動させながら第１部材２を底板３ａ側に押さえ付けて嵌め込む。
【００５４】
このようにすれば、歯付ベルト５０のそれぞれの端部において、第１部材２によって歯付ベルト５０の端部を底板３ａ側に押さえ付ける力Ｆが発生する。このため、環状に連続するように連結された歯付ベルト５０を第２部材３’から引き抜く引抜方向Ａ，Ａ’に力が加わっても歯付ベルト５０の各端部が抜け出すことはない。
【００５５】
なお、一対の側板は、一方側と他方側とでそれぞれ連結部の部分で分割されているが、一体につながっていてもよい。
【００５６】
−変形例２−
図９は本発明の実施形態１の変形例２に係る端末取付具１’’を示し、連結部３ｄ’’の形状が上記変形例１と異なる。
【００５７】
すなわち、本変形例の連結部３ｄ’’は、中間部においてヒンジ部３ｅ’’が設けられており、このヒンジ部３ｅ’’を中心に一対の第２部材３’’が互いに相対的に回動可能となっている。
【００５８】
−変形例３−
図１０Ａ〜図１０Ｃは本発明の実施形態１の変形例３に係る端末取付具１’’’を示し、第１貫通孔２ｂ’’’の形状等が上記実施形態と異なる。
【００５９】
すなわち、本変形例の第１貫通孔２ｂ’’’は、上記実施形態１と異なり、長孔ではなく、円形孔となっている。一方、第２部材３’’’の側板３ｂ’’’に形成した第２貫通孔３ｃ’’’が、歯付ベルト５０が載置された状態で、この歯付ベルト５０を引き抜く引抜方向Ａに向かって下方へ（底板３ａ側へ）傾斜する長孔よりなる。本変形例でも、これらの隣接する長孔の傾斜角度は等しい。
【００６０】
本変形例では、基本的には、上記実施形態１と同じ方法で、歯付ベルト５０が第２部材３’’’に取り付けられるが、図１０Ｂに示す状態から、噛み合わせ工程において歯部５１とダミー歯部２ａとが噛み合った後、リベット４は、長孔よりなる第２貫通孔３ｃ’’’の上方に位置付けられる。
【００６１】
次いで、嵌め込み状態で、歯付ベルト５０を引き抜く引抜方向Ａに引っ張ると、図１０Ｃに示すように、２本のリベット４がいずれも第２貫通孔３ｃ’’’の下方に移動する。この移動に伴って、第１部材２’’’が歯付ベルト５０を下方へ（底板３ａ側へ）押し付ける力Ｆが徐々に発生する。このため、歯付ベルト５０が第２部材３’’’から抜け出すことはない。
【００６２】
（実施形態２）
図１１は本発明の実施形態２の端末取付具１０１を示し、隣接する第２貫通孔１０３ｃ１，１０３ｃ２の傾斜角度θ１，θ２が異なる点で上記実施形態１の変形例３と異なる。
【００６３】
すなわち、本実施形態では、隣接する長孔よりなる第２貫通孔１０３ｃ１，１０３ｃ２における引き抜き側の第２貫通孔１０３ｃ１の傾斜角度θ１は、差し込み側の第２貫通孔１０３ｃ２の傾斜角度θ２よりも小さい（θ１＜θ２）。
【００６４】
次に、本実施形態に係る端末取付具１０１の作動について図１２Ａ〜図１２Ｃを用いて説明する。
【００６５】
まず準備工程において、上記歯付ベルト５０と端末取付具１０１とを準備する。
【００６６】
次いで抜け止め部材挿通工程において、第１部材１０２を第２部材１０３の一対の側板１０３ｂ間に挿入し、引抜方向Ａ側の第１貫通孔１０２ｂと第２貫通孔１０３ｃ１とを位置合わせした状態でリベット４を第１貫通孔１０２ｂ及び第２貫通孔１０３ｃ１に挿通するこのように一方のリベット４のみを挿入することで、第１部材１０２が第２部材１０３に仮止めされる。
【００６７】
次いでベルト載置工程において、図１２Ａに示すように、歯付ベルト５０の端部を引抜方向Ａと反対側の挿入方向Ｂで第１部材１０２と第２部材１０３の底板３ａの間に挿入する。
【００６８】
次いで噛み合わせ工程において、図１２Ｂに示すように、第１部材１０２をリベット４を中心に回動させ、歯付ベルト５０の端部の歯部５１に第１部材１０２のダミー歯部２ａを噛み合わせる。
【００６９】
そして最後に嵌め込み工程において、図１２Ｃに示すように、第１部材１０２が噛み合わされた歯付ベルト５０を引き寄せてリベット４を長孔よりなる第２貫通孔１０３ｃ１、１０３ｃ２の内部において下方へ（底板３ａ側へ）移動させながら第１部材１０２を底板３ａ側に押さえ付けて嵌め込む。
【００７０】
このように、小さい方の傾斜角度θ１の第２貫通孔１０３ｃ１及び第１貫通孔２にリベット４を差し込んだ状態で、第１部材１０２を傾けた状態で第１部材１０２と第２部材１０３の底板３ａとの間に歯付ベルト５０の端部を挿入し、他方の傾斜角度θ２の大きい方の第２貫通孔１０３ｃ２を位置合わせするように第１部材１０２を回動させてリベット４を差し込むようにすることもできる。
【００７１】
本実施形態では、傾斜角度θ１のきつい方の第２貫通孔１０３ｃ２の方でより大きな力Ｆで歯付ベルト５０を押さえ付けるようにすることができる。したがって、本実施形態に係る端末取付具１０１においても、専用のプレス装置を用いることなく、簡単かつ確実に歯付ベルト５０の端部を固定できる。
【００７２】
（実施形態３）
図１３は本発明の実施形態３の端末取付具２０１を示し、第１貫通孔２０２ｂ及び第２貫通孔２０３ｃが１つのみ設けられる点で上記実施形態１と異なる。
【００７３】
次に、本実施形態に係る端末取付具２０１の作動について図１４Ａ〜図１４Ｃを用いて説明する。
【００７４】
図１４Ａに示すように、抜け止め部材挿通工程で第１部材２０２を第２部材２３に仮止めする。
【００７５】
次いで、ベルト載置工程において、この第１部材２０２を傾けた状態で底板３ａと第１部材２０２との間に歯付ベルト５０を挿通する。
【００７６】
次いで噛み合わせ工程において、図１４Ｂ及び図１４Ｃに示すように、第１部材２０２をリベット４を中心に回動及び下方に移動させ、歯付ベルト５０の端部の歯部５１に第１部材２０２のダミー歯部２ａを噛み合わせる。
【００７７】
そして最後に嵌め込み工程において、図１４Ｃに示すように、第１部材２０２が噛み合わされた歯付ベルト５０を引き寄せてリベット４を長孔よりなる第２貫通孔２０３ｃの内部を上方へ移動させながら嵌め込む。すると、第１部材２０２が徐々に下方に押さえ付けられ、押圧力Ｆが発生する。
【００７８】
本実施形態では、歯付ベルト５０の端部の挿入作業とリベット４の位置合わせが容易となる。
【００７９】
したがって、本実施形態に係る端末取付具２０１においても、専用のプレス装置を用いることなく、簡単かつ確実に歯付ベルト５０の端部を固定できる。
【００８０】
（その他の実施形態）
本発明は、上記各実施形態について、以下のような構成としてもよい。
【００８１】
すなわち、上記各実施形態では、歯付ベルト５０は、上面にのみ歯部５１を有するが、上面及び下面の両方に歯部５１を有する歯付ベルト５０に適用してもよい。
【００８２】
また、第１部材と歯付ベルト５０の歯部５１は、歯付ベルト５０の端末近くに噛み合わせて用いなくてもよく、噛み合わせ位置を自由にずらして長さを調整することもできる。
【００８３】
上記各実施形態では、歯付ベルト５０の幅と第１部材の幅とが同等であったが、例えば、歯付ベルト５０の幅が第１部材の幅の２倍であれば、２個の第１部材を歯付ベルト５０の上に載せた状態で第２部材に嵌め込むようにしてもよい。そうすれば、共通の第１部材で異なる幅の歯付ベルト５０を取り付けることができる。
【００８４】
なお、以上の実施形態は、本質的に好ましい例示であって、本発明、その適用物や用途の範囲を制限することを意図するものではない。
【符号の説明】
【００８５】
１，１’，１’’，１’’’，１０１，２０１    端末取付具 
２，２’’’，１０２，２０２    第１部材
２ａ    ダミー歯部 
２ｂ,２ｂ’’’，１０２ｂ，２０２ｂ    第１貫通孔 
３，３’，３’’，３’’’，１０３，２０３    第２部材 
３ａ    底板 
３ｂ，３ｂ’’’，１０３ｂ，２０３ｂ  側板
３ｃ，３ｃ’’’，１０３ｃ１，１０３ｃ２，２０３ｃ  第２貫通孔 
３ｄ    固定片 
３ｄ’  連結部 
３ｅ    ボルト挿通孔 
３ｅ’’’  ヒンジ部 
４      リベット（抜け止め部材） 
５      プッシュナット（抜け止め部材）
５０      歯付ベルト 
５１      歯部 
【図１】
2019113084.tif 000003
【図２】
2019113084.tif 000004
【図３】
2019113084.tif 000005
【図４】
2019113084.tif 000006
【図５】
2019113084.tif 000007
【図６】
2019113084.tif 000008
【図７Ａ】
2019113084.tif 000009
【図７Ｂ】
2019113084.tif 000010
【図７Ｃ】
2019113084.tif 000011
【図８】
2019113084.tif 000012
【図９】
2019113084.tif 000013
【図１０Ａ】
2019113084.tif 000014
【図１０Ｂ】
2019113084.tif 000015
【図１０Ｃ】
2019113084.tif 000016
【図１１】
2019113084.tif 000017
【図１２Ａ】
2019113084.tif 000018
【図１２Ｂ】
2019113084.tif 000019
【図１２Ｃ】
2019113084.tif 000020
【図１３】
2019113084.tif 000021
【図１４Ａ】
2019113084.tif 000022
【図１４Ｂ】
2019113084.tif 000023
【図１４Ｃ】
2019113084.tif 000024